(57)【特許請求の範囲】
【請求項１】
先端側に相手側コネクタの差込口が形成され、基端側に収納凹部が形成されるハウジングと、
前記収納凹部に嵌挿され、該収納凹部の内周に圧接される大径部と、該収納凹部の内周との間に所定の隙間を有する小径部と、電線の挿通孔と、が形成される防水部材と、
前記防水部材の外方から仮係止位置を経て本係止位置へと前記収納凹部に嵌挿されて、本係止位置でこの防水部材を固定し、かつ、前記収納凹部の内周に略沿った形状をなす本体部分と、前記防水部材の小径部と該収納凹部との前記隙間に圧入される環状部と、前記挿通孔に連通する所定径の端子挿入ガイド孔と、が形成されるリヤホルダーとを備え、
電線の先端部に接続される端子を、リヤホルダーの仮係止位置で前記端子挿入ガイド孔から前記挿通孔へと挿入した後、このリヤホルダーを本係止位置へと嵌挿するようになった防水コネクタにおいて、
前記端子挿入ガイド孔の長さを、この端子挿入ガイド孔に挿入された際に傾斜される端子の先端が、前記挿通孔の端面周縁部に干渉しない程度の傾き範囲に納まるように延長し、
前記リヤホルダーの本係止位置への嵌挿により、前記環状部が前記隙間に圧入されて前記小径部を圧縮し前記挿入孔を押し縮め、前記電線と前記防水部材との密接力を高める
たことを特徴とする防水コネクタ。
【請求項２】
請求項１に記載の防水コネクタにおいて、
前記ハウジングとこれに嵌挿される前記リヤホルダーとの間に、これらハウジングまたはリヤホルダーの一方から他方に向かって突設されて、摺動自在に圧接される凸部を設けたことを特徴とする防水コネクタ。
【請求項３】
請求項２に記載の防水コネクタにおいて、
前記凸部は、リヤホルダーの嵌挿方向に連続するリブであることを特徴とする防水コネクタ。
【発明の詳細な説明】
【０００１】
【発明の属する技術分野】
本発明は、ハウジングの基端側から挿通される電線が防水部材を介して液密封止される一方、この防水部材は仮係止位置から本係止位置へと嵌挿されるリヤホルダーによって固定される防水コネクタに関する。
【０００２】
【従来の技術】
従来のコネクタとしては、図５，図６に示す防水コネクタ１がある。この防水コネクタ１は、ハウジング２の先端側（図中左側）に図示省略した相手側コネクタの差込口３が形成されるとともに、ハウジング２の基端側（図中右側）から差込口３に向かって、図示省略した電線に接続される端子４（図６（ａ）参照）が挿通され、この挿通された端子４は端子収容部５に収容保持される。
【０００３】
前記電線はハウジング２の基端側に嵌挿される防水部材となる防水パッキン６によって液密封止されるとともに、この防水パッキン６は更に外方から嵌挿されるリヤホルダー７によって固定される。防水パッキン６の中心部には電線の挿通孔６ａが形成されるとともに、リヤホルダー７の中心部には、この挿通孔６ａに連通する所定径の端子挿入ガイド孔７ａが形成され、図６（ａ）に示すように、端子４はこの端子挿入ガイド孔７ａから前記挿通孔６ａへと挿入されて、最終的に前記端子収容部５に差し込まれる。
【０００４】
【発明が解決しようとする課題】
しかしながら、かかる従来の防水パッキン６では、端子４が挿入される際にリアホルダー７の端子挿入ガイド孔７ａに案内されて、この端子４の先端が防水パッキン６の挿通孔６ａに差し込まれることになるが、このとき、図６（ａ）に示すように、前記端子挿入ガイド孔７ａの長さＬ1が短く形成されていたため、端子４が大きく傾いて、図６（ｂ）に示すように、その先端が防水パッキン６の挿通孔６ａの端面６ｂ周縁部に干渉してしまうことになる。
【０００５】
この場合、端子４が前記端面６ｂに突っ掛かって再度挿通孔６ａへの差し込みを試みる必要があり、その作業性が悪化してしまうとともに、端子４の先端が干渉した状態で無理に差し込もうとすると、その部分の防水パッキン６が傷付き、場合によってはその傷部分でシール性が悪化してしまうことになる。
【０００６】
そこで、本発明はかかる従来の課題に鑑みて成されたもので、リアホルダーの端子挿入ガイド孔の長さを必要十分に取ることにより端子の傾きを抑制して、端子の先端が防水部材の挿通孔にスムーズに差し込まれるようにした防水コネクタを提供することを目的とする。
【０００７】
【課題を解決するための手段】
請求項１の発明にかかる防水コネクタは、先端側に相手側コネクタの差込口が形成され、基端側に収納凹部が形成されるハウジングと、前記収納凹部に嵌挿され、該収納凹部の内周に圧接される大径部と、該収納凹部の内周との間に所定の隙間を有する小径部と、電線の挿通孔と、が形成される防水部材と、前記防水部材の外方から仮係止位置を経て本係止位置へと前記収納凹部に嵌挿されて、本係止位置でこの防水部材を固定し、かつ、前記収納凹部の内周に略沿った形状をなす本体部分と、前記防水部材の小径部と該収納凹部との前記隙間に圧入される環状部と、前記挿通孔に連通する所定径の端子挿入ガイド孔と、が形成されるリヤホルダーとを備え、電線の先端部に接続される端子を、リヤホルダーの仮係止位置で前記端子挿入ガイド孔から前記挿通孔へと挿入した後、このリヤホルダーを本係止位置へと嵌挿するようになった防水コネクタにおいて、前記端子挿入ガイド孔の長さを、この端子挿入ガイド孔に挿入された際に傾斜される端子の先端が、前記挿通孔の端面周縁部に干渉しない程度の傾き範囲に納まるように延長し、前記リヤホルダーの本係止位置への嵌挿により、前記環状部が前記隙間に圧入されて前記小径部を圧縮し前記挿入孔を押し縮め、前記電線と前記防水部材との密接力を高めることを特徴とする。
【０００８】
この場合、リヤホルダーの仮係止位置で、端子を端子挿入ガイド孔から防水部材の挿通孔へと挿入する際、この端子挿入ガイド孔の長さが、この端子挿入ガイド孔に挿入された際に傾斜される端子の先端が、前記挿通孔の端面周縁部に干渉しない程度の傾き範囲に納まるように延長してあるので、この端子挿入ガイド孔に単に端子を挿入することにより、端子の先端は防水部材の挿通孔へと案内され、この挿通孔にスムーズに差し込まれる。
【０００９】
請求項２の発明は、請求項１に記載の防水コネクタにおいて、前記ハウジングとこれに嵌挿される前記リヤホルダーとの間に、これらハウジングまたはリヤホルダーの一方から他方に向かって突設されて、摺動自在に圧接される凸部を設けたことを特徴とする。
【００１０】
この場合、ハウジングにリヤホルダーを嵌挿する際、これらの一方から突設された凸部が他方に圧接されるので、リヤホルダーのガタ付きを防止し、ひいては、リヤホルダーの端子挿入ガイド孔に挿入された端子が防水部材に対して大きく傾くのを防止することができる。
【００１１】
請求項３の発明は、請求項２に記載の防水コネクタにおいて、前記凸部は、リヤホルダーの嵌挿方向に連続するリブであることを特徴とする。
【００１２】
この場合、連続した凸部によって、リヤホルダーのハウジングへの嵌挿を滑らかに行うことができる。
【００１３】
【発明の実施の形態】
以下、本発明の実施形態を添付図面を参照して詳細に説明する。図１〜図４は本発明にかかる防水コネクタの一実施形態を示し、図１はリヤホルダーが仮係止状態にある防水コネクタの要部断面斜視図、図２はリヤホルダーが仮係止状態にある防水コネクタを（ａ）の全体拡大図と（ｂ）のＡ部拡大断面図とで示す説明図、図３はリヤホルダーが本係止状態に有る防水コネクタの全体の拡大断面図、図４はハウジングとリヤホルダーとの嵌挿部分を示す拡大斜視図である。
【００１４】
即ち、本実施形態の防水コネクタ１０は、図１から図３に示すように、インナーハウジング２０ａとアウターハウジング２０ｂとからなるハウジング２０を備え、このハウジング２０の先端側（図中左側）には図示省略した相手側コネクタの差込口２１が開口する。ハウジング２０の中心部には、図３に示すように、基端側（図中右側）から先端側に向かって電線３０を挿通する案内孔２２が形成され、この電線３０の先端部に接続した端子３１とともにこの案内孔２２に通すようになっている。このとき、ハウジング２０の基端側には防水部材としての防水パッキン６０およびこの防水パッキン６０を固定するリヤホルダー７０を嵌挿する収納凹部２５が形成されている。
【００１５】
アウターハウジング２０ｂは、インナーハウジング２０ａの外側に移動自在に嵌合され、このアウターハウジング２０ｂがハウジング２０の先端側に移動することにより、インナーハウジング２０ａの爪２３を押し下げて相手側コネクタに係合するようになっている。インナーハウジング２０ａは、中心部に前記案内孔２２を形成して差込口２１内に突出する筒部２４が突設され、この筒部２４の外周に形成された小径部２４ａには、シール部材としての断面がかまぼこ状となるパッキン３４が嵌合される。
【００１６】
前記端子３１は、図３に示すように、一端部が前記筒部２４内、つまり筒部２４の案内孔２２内に位置し、他端部がその筒部２４からハウジング２０の先端側に向かって突出され、その突出された先端部は端子収容部４０のキャビティ４１内に収容保持される。本実施形態では、電線３０およびこれに付随する端子３１が複数設けられる関係上、前記キャビティ４１もそれら端子３１の数に対応して並設されている。
【００１７】
端子３１がキャビティ４１に収容される部分には、基端側（図中右方）が突出する方向に傾斜するランス３１ａが設けられ、このランス３１ａがキャビティ４１内の係止部４１ａに係止することにより、端子３１の抜けが防止される。このとき、差込口１２内に収納された端子収容部４０は、その先端面がハウジング２０の先端と略面一となっている。
【００１８】
端子収容部４０とパッキン３４との間、詳細にはこのパッキン３４を嵌合した筒部２４との間にスペーサ５０が配置される。このスペーサ５０には、端子３１を挿通するとともに、この端子３１の長さ方向に対して直角方向に延びる長孔５１が形成される。そして、図２に示すように、スペーサ５０が図中下方に下がった状態で端子３１の通過が可能となり、図３に示すように、スペーサ５０が図中上方に押し上げられた状態で、長孔５１の下側５１ａが端子３１の凹設部３１ｂに係止して、端子３１の抜けを防止するようになっている。このとき、スペーサ５０の下側５１ａと前記ランス３１ａとによって２重係止構造となっている。また、スペーサ５０には、パッキン３４の先端側（図中左側）外側を押圧して、パッキン３４を抜け防止する保持部５２が設けられる。
【００１９】
前記防水パッキン６０はゴムを素材として形成され、前記収納凹部２５の内周に圧接される大径部６１と、この収納凹部２５の内周との間に所定の隙間δが設けられる小径部６２とが設けられ、これら大径部６１および小径部６２のそれぞれの外周には密接性を高めるために環状の凹凸部が形成される。そして、この防水パッキン６０の中心部には電線３０の挿通孔６３が形成されるとともに、この挿通孔６３の両端部にはすり鉢状に拡開されるテーパ部６３ａ，６３ｂが形成される。また、挿通孔６３の内周には電線３０との密接性を高めるために、環状の凹凸部が形成されている。
【００２０】
前記リヤホルダー７０は、図４に示すように、前記収納凹部２５の内周に略沿った形状を成す本体部分７１と、図３に示すように、この本体部分７１の先端部から突設されて、前記防水パッキン６０の小径部６２と収納凹部２５との隙間δに圧入される環状部７２とが設けられる。そして、この環状部７２が隙間δに圧入されることにより、小径部６２は全体的に圧縮されて挿通孔６３を押し縮め、電線３０との密接力を高めるようになっており、図２示すように環状部７２が隙間δに挿入される前の状態がリヤホルダー７０の仮係止位置となり、図３に示すように環状部７２が隙間δに完全に挿入された状態が本係止位置となる。
【００２１】
リヤホルダー７０の中心部には、防水パッキン６０の挿通孔６３に連通される端子挿入ガイド孔７３が形成される。この端子挿入ガイド孔７３は端子３１を通過できる程度の径として形成される。また、図４に示すように、前記本体部分７１の上面中央部には、リヤホルダー７０の挿入方向に延びるガイドリブ７４が突設され、このガイドリブ７４が収納凹部２５の溝２６に嵌合されて案内されるようになっている。また、収納凹部２５の上下両内面２５ａ，２５ｂには、それぞれリヤホルダー７０の上下両面７０ａ，７０ｂに摺動自在に圧接される凸部２７が、左右対称に１対づつ設けられる。これら凸部２７は、リヤホルダー７０の嵌挿方向に連続するリブ２７ａとして形成される。
【００２２】
そして、図２に示すように、リヤホルダー７０を仮係止位置にした状態で、電線３０の先端部に接続した端子３１を端子挿入ガイド孔７３から防水パッキン６０の挿通孔６３へと挿入し、その後、図３に示すように、電線３０を完全に差し込み完了した後にリヤホルダー７０を本係止位置へと嵌挿するようになっている。この状態で電線３０は防水パッキン６０によって液密保持される。
【００２３】
ここで、本実施形態では、図２（ａ）に示すように、前記端子挿入ガイド孔７３の長さＬを、この端子挿入ガイド孔７３に挿入された際に傾斜される端子３１の先端が、前記防水パッキン６０の挿通孔６３の端面周縁部６３ｃ（図２（ｂ）参照）に干渉しない程度の傾き範囲に納まるように延長してある。
【００２４】
以上の構成により本実施形態の防水コネクタ１０にあっては、電線３０の先端部に接続された端子３１を防止コネクタ１０にセットするには、まず、図２（ａ）に示すようにリヤホルダー７０を仮係止位置にして、環状部７２が防水パッキン６０の挿通孔６３を押し縮めない状態で、端子３１を端子挿入ガイド孔７３に挿入する。このとき、この端子挿入ガイド孔７３の長さＬを、この端子挿入ガイド孔７３に挿入された際に傾斜される端子３１の先端が、前記挿通孔６３の端面周縁部６３ｃに干渉しない程度の傾き範囲に納まるように延長してあるので、この端子挿入ガイド孔７３に挿入された端子３１は、その先端が防水パッキン６０の挿通孔６３へと案内され、この挿通孔６３にスムーズに差し込まれる。このため、端子３１の差し込み作業性が向上するとともに、防水パッキン６０の挿通孔６３の周縁部分が傷付くのを防止することができ、この防水パッキン６０によるシール性を確保することができる。
【００２５】
また、本実施形態では、ハウジング２０の収納凹部２５の上下両内面２５ａ，２５ｂに設けた凸部２７を、リヤホルダー７０の上下両面７０ａ，７０ｂに摺動自在に圧接するようにしたので、収納凹部２５に嵌挿された状態でリヤホルダー７０のガタ付きを防止し、ひいては、前記端子挿入ガイド孔７３に挿入された端子３１が防水パッキン６０に対して大きく傾くのを防止することができる。従って、リヤホルダー７０のガタ付きにより、端子３１の先端が前記挿通孔６３の端面周縁部６３ｃに干渉するのを防止することができる。
【００２６】
更に、この場合、前記凸部２７を、リヤホルダー７０の嵌挿方向に連続するリブ２７ａとして構成したので、リヤホルダー７０の収納凹部２５への嵌挿を滑らかに行うことができ、ひいては、このリヤホルダー７０の組付け性を向上することができる。
【００２７】
【発明の効果】
請求項１に記載の本発明にかかる防水コネクタによれば、端子挿入ガイド孔の長さを、この端子挿入ガイド孔に挿入された際に傾斜される端子の先端が、防水部材の挿通孔の端面周縁部に干渉しない程度の傾き範囲に納まるように延長したので、リヤホルダーの仮係止位置で、端子を端子挿入ガイド孔から防水部材の挿通孔へと挿入する際、端子の先端を防水部材の挿通孔へと確実に案内して、挿通孔にスムーズに差し込むことができる。このため、端子の差し込み作業性が向上するとともに、防水部材の挿通孔の周縁部分が傷付くのを防止して、この防水部材によるシール性を確保することができる。
【００２８】
請求項２に記載の本発明にかかる防水コネクタによれば、請求項１の効果に加えて、ハウジングにリヤホルダーを嵌挿する際、これらの一方から突設された凸部を他方に圧接するようにしたので、リヤホルダーのガタ付きを防止し、ひいては、リヤホルダーの端子挿入ガイド孔に挿入された端子が防水部材に対して大きく傾くのを防止することができる。従って、リヤホルダーのガタ付きにより、端子の先端が前記挿通孔の端面周縁部に干渉するのを防止することができる。
【００２９】
請求項３に記載の本発明にかかる防水コネクタによれば、請求項２の効果に加えて、前記凸部をリヤホルダーの嵌挿方向に連続するリブとしているので、リヤホルダーのハウジングへの嵌挿を滑らかに行うことができ、ひいては、このリヤホルダーの組付け性を向上することができる。
【図面の簡単な説明】
【図１】本発明にかかる防水コネクタの一実施形態を示すリヤホルダーが仮係止状態にある要部断面斜視図である。
【図２】本発明にかかる防水コネクタの一実施形態を（ａ）の全体拡大断面図と（ｂ）のＡ部拡大断面図とで示す説明図である。
【図３】本発明にかかる防水コネクタの一実施形態を示すリヤホルダーが本係止状態に有る全体の拡大断面図である。
【図４】本発明にかかる防水コネクタの一実施形態を示すハウジングとリヤホルダーとの嵌挿部分の拡大斜視図である。
【図５】従来の防水コネクタの要部断面斜視図である。
【図６】従来の防水コネクタを（ａ）の全体と（ｂ）の要部とでそれぞれ示す断面図である。
【符号の説明】
１０  防水コネクタ
２０  ハウジング
２１  差込口
２７  凸部
２７ａ  リブ
３０  電線
３１  端子
６０  防水パッキン（防水部材）
６３  挿通孔
７０  リヤホルダー
７３  端子挿入ガイド孔
Ｌ  端子挿入ガイド孔の長さ
【図１】
0003946452.tif 000002
【図２】
0003946452.tif 000003
【図３】
0003946452.tif 000004
【図４】
0003946452.tif 000005
【図５】
0003946452.tif 000006
【図６】
0003946452.tif 000007